(57)【要約】【課題】折れ戸の高さが収納部の天井高さと略々同じである場合に天井を傷つけるようなことがないようにした折れ戸装置を提供する。【解決手段】戸単体３，３の端縁部どうしが蝶番４で連結された折れ戸５の一端側上部を上ガイドレール６の一端部に固定側ピボット７を介して連結すると共に、折れ戸５の一端側下面から突出する支軸９を床面Ｆ側の軸穴１０に挿入し、折れ戸５の他端側上部をスライド側ピボット８を介して上ガイドレール６にスライド自在に支持してなる折れ戸装置であって、固定側及びスライド側の各ピボット７，８は、互いに連結・切り離し自在な折れ戸側取付金具１１とガイドレール側取付ユニット１２とからなる。【選択図】図３
2007039910.tif 000002
【特許請求の範囲】
【請求項１】
戸単体の端縁部どうしが蝶番で連結された折れ戸の一端側上部を上ガイドレールの一端部に固定側ピボットを介して連結すると共に、折れ戸の一端側下面から突出する支軸を床面側の軸穴に挿入し、折れ戸の他端側上部をスライド側ピボットを介して上ガイドレールにスライド自在に支持してなる折れ戸装置であって、
固定側及びスライド側の各ピボットは、互いに連結・切り離し自在な折れ戸側取付金具とガイドレール側取付ユニットとからなり、
折れ戸側取付金具は、戸単体上面に取り付けられる取付基板に水平部片を枢着し、この水平部片の一端から下向きに連結部片を連成したものからなり、ガイドレール側取付ユニットは、箱状本体と、箱状本体内に昇降自在に保持されると共に常時はバネで箱状本体上面から所要長さ突出するように付勢された支持杆と、支持杆の上端部に固着され、上ガイドレールにスライド自在に取り付けられるスライダーと、箱状本体の上面側から挿し込んだ折れ戸側取付金具の連結部片をロックして箱状本体と連結させるロック解除可能なロック機構とからなり、固定側ピボットではスライダーをスライド不能に取り付けてなる折れ戸装置。
【請求項２】
ロック機構は、折れ戸側取付金具の連結部片に被係止部を形成する一方、箱状本体に連結部片を上方より挿し込むための挿込路を設け、箱状本体内には、一端部にテーパガイドと係止部とを形成し且つ他端部に操作部を形成した係止レバーを枢着すると共に、係止レバーの一端部が常時挿込路に進入するように付勢するバネを設けてなるもので、連結部片を挿込路に挿し込んで、その下端部が係止レバーのテーパガイドに押接することにより、係止レバーがバネに抗して傾転して係止部が挿込路から一時退出した後、再び進入して連結部片の被係止部に係止し、それによって連結部片をロックし、係止レバーの他端部の操作部を押すことによりその一端部を挿込路から退出させてロック解除するようにした請求項１に記載の折れ戸装置。
【発明の詳細な説明】
【技術分野】
【０００１】
本発明は、家具やクローゼット等収納部の開口部を開閉する折れ戸装置に関するものである。
【背景技術】
【０００２】
従来の折れ戸装置として、特許公報等の公知文献を具体的に挙げることはできないが、この種の一般的な折れ戸装置においては、折れ戸を収納部の開口部に建て込むにあたり、折れ戸を傾けた状態から折れ戸の一端側下面に突設した下部支軸を床面側に設けた軸穴に挿入した後、そのまま折れ戸を立てていって、折れ戸の一端側上面からバネにより突出付勢する上部支軸を、上ガイドレールの一端部に設けた軸穴に挿入し、そして折れ戸の他端側上部に軸支したスライダーを上ガイドレールにスライド自在に支持させるようにしている。
【発明の開示】
【発明が解決しようとする課題】
【０００３】
上記のような折れ戸装置によると、折れ戸の高さが収納部の天井高さと略々同じである場合には、上部支軸が折れ戸の一端部上面から突出しているため、折れ戸の建て込み時にその突出した上部支軸によって天井を傷つけてしまうおそれがあった。
【０００４】
本発明は、上記のように折れ戸の高さが収納部の天井高さと略々同じである場合に天井を傷つけるようなことがないようにした折れ戸装置を提供することを目的とする。
【課題を解決するための手段】
【０００５】
上記課題を解決するための手段を、後述する実施形態の参照符号を付して説明すると、請求項１に係る発明は、戸単体３，３の端縁部どうしが蝶番４で連結された折れ戸５の一端側上部を上ガイドレール６の一端部に固定側ピボット７を介して連結すると共に、折れ戸５の一端側下面から突出する支軸９を床面Ｆ側の軸穴１０に挿入し、折れ戸５の他端側上部をスライド側ピボット８を介して上ガイドレール６にスライド自在に支持してなる折れ戸装置であって、固定側及びスライド側の各ピボット７，８は、互いに連結・切り離し自在な折れ戸側取付金具１１とガイドレール側取付ユニット１２とからなり、折れ戸側取付金具１１は、戸単体３上面に取り付けられる取付基板１３に水平部片１５を枢着し、この水平部片１５の一端から下向きに連結部片１６を連成したものからなり、ガイドレール側取付ユニット１２は、箱状本体１８と、箱状本体１８内に昇降自在に保持されると共に常時はバネ１９で箱状本体１８上面から所要長さ突出するように付勢された支持杆２０と、支持杆２０の上端部に固着され、上ガイドレール６にスライド自在に取り付けられるスライダー２１と、箱状本体１８の上面側から挿し込んだ折れ戸側取付金具１１の連結部片１６をロックして箱状本体１８と連結させるロック解除可能なロック機構２２とからなり、固定側ピボット７ではスライダー２１をスライド不能に取り付けてなることを特徴とする。
【０００６】
請求項２は、請求項１に記載の折れ戸装置において、ロック機構２２は、折れ戸側取付金具１１の連結部片１６に被係止部１６ａを形成する一方、箱状本体１８に連結部片１６を上方より挿し込むための挿込路２６を設け、箱状本体１８内には、一端部にテーパガイド２７と係止部２８とを形成し且つ他端部に操作部２９を形成した係止レバー３０を枢着すると共に、係止レバー３０の一端部が常時挿込路に進入するように付勢するバネ３２を設けてなるもので、連結部片１６を挿込路２６に挿し込んで、その下端部が係止レバー３０のテーパガイド２７に押接することにより、係止レバー３０がバネ３２に抗して傾転して係止部２８が挿込路２６から一時退出した後、再び進入して連結部片１６の被係止部１６ａに係止し、それによって連結部片１６をロックし、係止レバー３０の他端部の操作部２９を押すことによりその一端部を挿込路２６から退出させてロック解除するようにしたことを特徴とする。
【発明の効果】
【０００７】
上記解決手段による発明の効果を、後述する実施形態の参照符号を付して説明すると、請求項１に係る発明の折れ戸装置によれば、折れ戸５の高さが収納部１の天井面Ｓの高さと略々同じである場合であっても、折れ戸５の建て込み時に、従来の折れ戸装置のように折れ戸の一端部上面から突出した支軸によって天井を傷つけるようなことがない。即ち、各ピボット７，８の折れ戸側取付金具１１とガイドレール側取付ユニット１２とを切り離しておいて、折れ戸側取付金具１１を折れ戸５の端部上面に取り付けた後、ガイドレール側取付ユニット１２を折れ戸側取付金具１１に対しそれより低い位置から連結させることができ、しかも上端部にスライダー２１を固着した支持杆２０は、これをバネ１９に抗して押し下げることにより、折れ戸側取付金具１１の水平部片１５よりも下方に位置させることができるから、折れ戸側取付金具１１にガイドレール側取付ユニット１２を連結した後でも、ガイドレール側取付ユニット１２にある支持杆２０の上端部に固着したスライダー２１は、収納部１の天井面Ｓに当たることもないし、上ガイドレール６に当たることもなく、従って折れ戸５の建て込み時に天井等を傷つけることがない。また、固定側ピボット７とスライド側ピボット８とは全く同じ構成であるから、１種類のピボットを製作すれば、固定側ピボット７とスライド側ピボット８との両ピボットに使用できる。ただ、固定側ピボット７では、スライダー２１が上ガイドレール６に沿ってスライドしないように固定させるだけでよい。
【０００８】
請求項２に係る発明の折れ戸装置によれば、ロック機構２２は、連結部片１６を挿込路２６に挿し込んで、その下端部が係止レバー３０のテーパガイド２７に押接することにより、係止レバー３０がバネ３２に抗して傾転して係止部２８が挿込路２６から一時退出した後、再び進入して連結部片１６の被係止部１６ａに係止し、それによって連結部片１６をロックし、また係止レバー３０の他端部の操作部２９を押すことにより、その一端部を挿込路２６から退出させてロック解除するようになっているから、折れ戸側取付金具１１とガイドレール側取付ユニット１２との連結・切り離し操作を簡単容易に行なえると共に、構造がコンパクトで、場所をとらず、取付けも容易となる。
【発明を実施するための最良の形態】
【０００９】
以下に本発明の好適な実施形態を図面に基づいて説明すると、図１は本発明に係る折れ戸装置２を収納部１の外側から見た正面図、図２は図１のＸ−Ｘ線拡大断面図で、折れ戸５が閉じた状態を示し、図３は図２と同様な断面図であって、折れ戸５が一部開いた状態を示す。図４は図１のＹ−Ｙ線拡大断面図である。
【００１０】
これらの図において、１は例えばウォークインクローゼットのような収納部で、天井面Ｓと床面Ｆと左右側壁Ｗ，Ｗと奥側側壁（図示せず）とによって形成される。２は収納部１の前面開口部を開閉する折れ戸装置で、この折れ戸装置２は、２つの戸単体３の端縁部どうしが蝶番４で連結された折れ戸５の一端側上部を上ガイドレール６の一端部に固定側ピボット７を介して連結すると共に、折れ戸５の一端側下面から突出する支軸９を床面Ｆ側の軸穴１０に挿入し、折れ戸５の他端側上部をスライド側ピボット８を介して上ガイドレール６にスライド自在に支持させたものである。収納部１の前面開口部には左右両側に側枠Ｈ，Ｈが建て付けられている。
【００１１】
上記折れ戸装置２の構造について更に詳細に説明すると、固定側ピボット７とスライド側ピボット８とは同じ構造であって、各ピボット７，８は、図５及び図６に示すように、互いに連結・切り離し自在な折れ戸側取付金具１１とガイドレール側取付ユニット１２とからなる。折れ戸側取付金具１１は、図５及び図１０の(b) から分かるように、戸単体３上面にビスａで取り付けられる取付基板１３に水平部片１５をピン１７によって枢着し、この水平部片１５の一端から下向き垂直に連結部片１６を一端に連成したものからなり、取付基板１３の一端からは戸単体３の内側面にビスａで取り付けられる取付板片１４を下向き垂直に一体に連成している。図５においてｂはビス挿通孔を示す。
【００１２】
ガイドレール側取付ユニット１２は、図５及び図６から分かるように、箱状本体１８と、この箱状本体１８内で昇降自在に（その昇降ストロークをＭで示す）保持されると共に、常時は圧縮コイルバネ１９によって箱状本体１８の上面から所要長さＮ突出するように付勢された支持杆２０と、この支持杆２０の上端部に固着されていて、上ガイドレール６にスライド自在に取り付けられるスライダー２１と、箱状本体１８の上面側からその内部に挿し込んだ折れ戸側取付金具１１の連結部片１６をロックして箱状本体１８と連結させるロック機構２２とからなる。
【００１３】
ガイドレール側取付ユニット１２の支持杆２０は、図５及び図６に示すように、箱状本体１８内の昇降案内路２３に沿って昇降自在に支持されていると共に、ストッパーピン２４によって箱状本体１８上面からの突出長さＮと下降限度位置とを制限されている。尚、ストッパーピン２４は、ガイド溝２５に沿ってスライドし、その上下端位置で突出長さＮと昇降ストロークＭの下降限度位置とを制限するようになっている。
【００１４】
支持杆２０の上端部に固着されたスライダー２１は、耐摩耗性に優れた合成樹脂材によって一体形成されたもので、図６に示すように両側面下端部に係合突条部２１ａ，２１ａを有し、両突条部２１ａ，２１ａを上ガイドレール６の係合溝条６ａ，６ａに係合させる（図１１の(a) 参照）ことによって上ガイドレール６に沿ってスライドするようになっている。
【００１５】
また図５及び図６を参照しながら、ロック機構２２について説明すると、先ず、折れ戸側取付金具１１の連結部片１６には左右両側端部に、夫々凹形の切欠部からなる被係止部１６ａ，１６ａを形成すると共に、これら被係止部１６ａ，１６ａの夫々上部には係止段部１６ｂ，１６ｂを形成する。そして、箱状本体１８の前部側に、連結部片１６を上方より挿脱自在に挿し込むための挿込路２６を設け、また箱状本体１８の内部には、夫々一端部にテーパガイド２７と係止部２８とを形成し且つ他端部に操作部２９を箱状本体１８前面から突出するように形成した両側一体の係止レバー３０，３０を枢軸３１によって箱状本体１８に枢着すると共に、各係止レバー３０の一端部が常時挿込路２６に進入するように付勢するコイルバネ３２を、各係止レバー３０の一端部側と箱状本体１８との間に夫々介装している。両係止レバー３０，３０は他端部どうしが連結板部２９によって一体に連結され、この連結板部２９が操作部を形成している。
【００１６】
上記のような構成のロック機構２２において、折れ戸側取付金具１１の連結部片１６を図５及び図６の(a) に示すような状態からガイドレール側取付ユニット１２の箱状本体１８の挿込路２６に挿し込むと、図６の(b) 及び(c) に示すように、連結部片１６の係止段部１６ｂが箱状本体１８の上面に係止して位置規制されると共に、この連結部片１６の挿し込み動作によりこの連結部片１６の下端部が係止レバー３０のテーパガイド２７に押接し、それにより係止レバー３０がコイルバネ３２の付勢力に抗して枢軸３１を中心として図６の(b) の仮想線図示のように傾転して、その係止部２８が挿込路２６から一時的に退出した後、再び進入して図６の(b) 及び(c) に示すように連結部片１６の被係止部１６ａの下端に係止し、それにより連結部片１６をロックして、この連結部片１６を介し折れ戸側取付金具１１とガイドレール側取付ユニット１２とを連結することになる。この連結状態において、上端部にスライダー２１を固着した支持杆２０は、これをバネ１９に抗して押し下げることにより、折れ戸側取付金具１１の水平部片１５よりも下方に位置させることができる。
【００１７】
また、図６の(b) 及び(c) に示すように連結部片１６がロックされた状態から、ロック解除する時は、係止レバー３０の操作部２９を図６の(b) に矢印Ｐで示す方向に押すことにより、係止レバー３０が傾転して、図６の仮想線で示すように、その一端部が挿込路２６から退出してロック解除されるから、その状態で連結部片１６を挿込路２６から上方へ引き上げることによって、連結部片１６を箱状本体１８から切り離すことができる。
【００１８】
図３及び図４において、３３は下軸受金具で、図１１の(b) にも示されるように、床面Ｆ側にビス止めされる水平板部３３ａと、側枠Ｈにビス止めされる垂直板部３３ｂとからなり、水平板部３３ａの所要部には、折れ戸５（戸単体３）の一端側下面から突出する支軸９を挿入する軸穴１０が設けてある。
【００１９】
次に、上記のように構成される折れ戸装置２の取付施工について説明する。
【００２０】
先ず、図７の(a) に示すように、上ガイドレール６を収納部１の前面開口部の天井面Ｓ側にビス３５で取り付け、また図８の(b) に示すように、収納部１の前面開口部の下面部と側枠Ｈの内側面下端部とに亘って下軸受金具３３をビス３５で取り付ける。
【００２１】
折れ戸５の建て込みに先立って、固定側及びスライド側の各ピボット７，８を構成する折れ戸側取付金具１１とガイドレール側取付ユニット１２とを、図６の(a) に示す状態に互いに切り離しておき、そして折れ戸側取付金具１１を図１０の(a) に示すように折れ戸５の両端部上面に夫々取り付ける。
【００２２】
折れ戸側取付金具１１の取付けに際しては、図５及び図１０の(b) から分かるように、各戸単体３の端部上面とその内側面（収納部１側の側面）とに亘って取付基板１３と取付板片１４とを当て付けて、ビスａにより取付け固定し、そして取付基板１３に枢着された水平部片１５とこれの一端から下向き垂直に連成された連結部片１６は、図１０の(b) に示すように各戸単体３の内側面側に位置させておく。
【００２３】
それから、図８の(a) 及び(b) に示すように、折れ戸５を傾けた状態で、この折れ戸５の一端側下面（２枚の戸単体３，３の一方の戸単体３の一端側下面）から突出する支軸９を下軸受金具３３の軸穴１０に挿入する。その後、この折れ戸５を傾けた状態から起こしていき、図９の(a) に示すように、この折れ戸５の一端側上部に取り付けられて下向きに突出している折れ戸側取付金具１１の連結部片１６に、その下方よりガイドレール側取付ユニット１２の箱状本体１８を近づけて、この箱状本体１８の挿込路２６を連結部片１６に対し挿し込みながら、ガイドレール側取付ユニット１２のスライダー２１をガイドレールに嵌め込む。これにより、固定側ピボット７を構成する折れ戸側取付金具１１とガイドレール側取付ユニット１２とを互いに連結して固定側ピボット７を組み付け、この固定側ピボット７を介して折れ戸５の一端側上部を上ガイドレール６の一端部に連結する。
【００２４】
尚、固定側ピボット７のガイドレール側取付ユニット１２は、そのスライダー２１を上ガイドレール６の一端部でスライドしないように固定させておく必要があるため、図７の(a) 、図９の(a) 及び(b) に示すように上ガイドレール６の一端部側にストッパー３４を取り付ける。また、ガイドレール側取付ユニット１２のスライダー２１をガイドレールに嵌め込むには、合成樹脂で形成されたスライダー２１自体の弾性を利用して、その係合突条部２１ａを上ガイドレール６の係合溝条６ａに押し込むようにすればよい。
【００２５】
上記のようにして固定側ピボット７の折れ戸側取付金具１１とガイドレール側取付ユニット１２とを組み付け、この固定側ピボット７を介して折れ戸５の一端側上部を上ガイドレール６の一端部に連結した後、図９の(b) に示すように、折れ戸５の他端側上部に取り付けてあるスライド側ピボット８の折れ戸側取付金具１１とガイドレール側取付ユニット１２とを上記固定側ピボット７と同様に組み付け、このスライド側ピボット８を介して、折れ戸５の他端側上部を上ガイドレール６の他端部にスライド自在に支持させる。
【００２６】
図２は、上記のようにして設置された折れ戸装置２の折れ戸５が閉じた状態での平面図であり、図３は折れ戸装置２の折れ戸５が一部開いた状態での平面図である。また図４は折れ戸５が閉じた状態での縦断面図である。
【００２７】
以上説明したように、本発明に係る折れ戸装置２では、固定側及びスライド側の各ピボット７，８が、連結・切り離し自在の折れ戸側取付金具１１とガイドレール側取付ユニット１２とからなり、折れ戸側取付金具１１は、戸単体３上面に取り付けられる取付基板１３に水平部片１５を枢着し、この水平部片１５の一端から下向きに連結部片１６を連成したものからなり、ガイドレール側取付ユニット１２は、箱状本体１８と、箱状本体１８内に昇降自在に保持されると共に常時はバネ１９で箱状本体１８上面から所要長さ突出するように付勢された支持杆２０と、支持杆２０の上端部に固着され、上ガイドレール６に取り付けられるスライダー２１と、箱状本体１８の上面側から挿し込んだ折れ戸側取付金具１１の連結部片１６をロックして箱状本体１８と連結させるロック解除可能なロック機構２２とからなるため、図４から分かるように、折れ戸５の高さが収納部１の天井面Ｓの高さと略々同じである場合であっても、折れ戸５の建て込み時に、従来の折れ戸装置のように折れ戸の一端部上面から突出した支軸によって天井を傷つけるようなことがない。
【００２８】
即ち、各ピボット７，８の折れ戸側取付金具１１とガイドレール側取付ユニット１２とを切り離しておいて、折れ戸側取付金具１１を折れ戸５の端部上面に取り付けた後、ガイドレール側取付ユニット１２を下方から折れ戸側取付金具１１に連結させることができ、しかも上端部にスライダー２１を固着した支持杆２０は、これをバネ１９に抗して押し下げることにより、折れ戸側取付金具１１の水平部片１５よりも下方に位置させることができるから、折れ戸側取付金具１１にガイドレール側取付ユニット１２を連結した後でも、ガイドレール側取付ユニット１２にある支持杆２０の上端部に固着したスライダー２１は、収納部１の天井面Ｓに当たることもないし、上ガイドレール６に当たることもなく、従って折れ戸５の建て込み時に天井等を傷つけることがない。
【００２９】
また、固定側ピボット７とスライド側ピボット８とは全く同じ構成であるから、１種類のピボットを製作すれば、固定側ピボット７とスライド側ピボット８との両ピボットに使用できる。ただ、固定側ピボット７では、スライダー２１が上ガイドレール６に沿ってスライドしないように固定させるだけでよい。
【００３０】
また、この折れ戸装置では、折れ戸側取付金具１１とガイドレール側取付ユニット１２とを連結するためのロック機構２２は、連結部片１６を挿込路２６に挿し込んで、その下端部が係止レバー３０のテーパガイド２７に押接することにより、係止レバー３０がバネ３２に抗して傾転して係止部２８が挿込路２６から一時退出した後、再び進入して連結部片１６の被係止部１６ａに係止し、それによって連結部片１６をロックし、また係止レバー３０の他端部の操作部２９を押すことにより、その一端部を挿込路２６から退出させてロック解除するようになっているから、折れ戸側取付金具１１とガイドレール側取付ユニット１２との連結・切り離し操作を簡単容易に行なえると共に、構造がコンパクトで、場所をとらず、取付けも容易となる。
【図面の簡単な説明】
【００３１】
【図１】本発明に係る折れ戸装置を収納部の外側から見た正面図である。
【図２】図１のＸ−Ｘ線拡大断面図で、折れ戸が閉じた状態を示す。
【図３】図２と同様な断面図で、折れ戸が一部開いた状態を示す。
【図４】図１のＹ−Ｙ線拡大断面図である。
【図５】固定側及びスライド側の各ピボットの折れ戸側取付金具とガイドレール側取付ユニットとを切り離した状態で示す斜視図である。
【図６】(a) は折れ戸側取付金具とガイドレール側取付ユニットとを切り離した状態での一部断面側面図、(b) は折れ戸側取付金具とガイドレール側取付ユニットとを連結した状態での一部断面側面図、(c) は(b) のＺ−Ｚ線断面図である。
【図７】(a) は上ガイドレールを取り付ける状態を示す斜視図、(b) は下軸受金具を取り付ける状態を示す斜視図である。
【図８】(a) は折れ戸を建て込んでいる状態の斜視図、(b) は折れ戸の一端側下面から突出する支軸を床面側の軸穴に挿入した状態の斜視図である。
【図９】(a) は固定側ピボットの取付要領を示す斜視図、(b) はスライド側ピボットの取付要領を示す斜視図である。
【図１０】ガイドレール側取付ユニットが上ガイドレールから吊り下がった状態の斜視図、(b) は折れ戸側取付金具が折れ戸の両端部に夫々取り付けられた状態を示す斜視図である。
【図１１】(a) は固定側及びスライド側の各ピボットの取付状態を示す側面図である。
【符号の説明】
【００３２】
１            収納部
２            折れ戸装置
３            戸単体
４            蝶番
５            折れ戸
６            ガイドレール
７            固定側ピボット
８            スライド側ピボット
９            支軸
１０          軸穴
１１          折れ戸側取付金具
１２          ガイドレール側取付ユニット
１３          取付基板
１５          水平部片
１６          連結部片
１８          箱状本体
１９          バネ
２０          支持杆
２１          スライダー
２２          ロック機構
２６          挿込路
２７          テーパガイド
２８          係止部
２９          操作部
３０          係止レバー
３２          バネ
【図１】
2007039910.tif 000003
【図２】
2007039910.tif 000004
【図３】
2007039910.tif 000005
【図４】
2007039910.tif 000006
【図５】
2007039910.tif 000007
【図６】
2007039910.tif 000008
【図７】
2007039910.tif 000009
【図８】
2007039910.tif 000010
【図９】
2007039910.tif 000011
【図１０】
2007039910.tif 000012
【図１１】
2007039910.tif 000013